(57)【要約】【課題】３次元ＣＡＤデータから成る建物データへ建物属性を関連付けて作成した建物モデルから実態に即した工程表の作成を支援する方法を提供する。【解決手段】共通事項データから確定できる階別構造、構・工法、部材の分割・統合、工区等の建物属性を前記建物データへ関連付けを行い建物モデルの雛形を作成するステップと、建物モデルの雛形に前記建物属性の詳細を設定して建物モデルを確定するステップと、建物モデルに基づいて階工区別施工数量を算出するステップと、建物モデルに基づいて構・工法属性、工区属性、部材属性の全てが共通する階工区のタクト工程に必要な作業、順序及び作業別歩掛等を作成するステップと、基本タクト工程に、階工区別施工数量を割当て作業日数を算出した階工区別タクト工程と、建物モデルの階工区別の施工順序から全体工程表とを作成するステップとから成る。【選択図】図１
2005018673.tif 000002
【特許請求の範囲】
【請求項１】
工程作成用の建物モデルを作成する基礎となる建物属性と、工程表作成の基礎となる作業項目、施工歩掛等とから成る基礎データ群を有するコンピュータを使用して、３次元ＣＡＤデータから成る建物データに少なくとも階別構造、構・工法、部材の分割・統合、工区等の建物属性を追加して工程作成用の建物モデルを作成し、前記建物モデルの建物属性に合致した工区別の作業項目、施工数量、施工歩掛や順序関係を基礎データ群から自在に抽出し、工程表を自動作成する工程表作成支援方法であって、
３次元ＣＡＤデータから成る建物データと、当該建物データが付随して持っている共通事項データとを読込み、記憶する読込・記憶ステップと、
前記読込・記憶ステップで読込み、記憶された前記共通事項データから確定できる階別構造、構・工法、部材の分割・統合、工区等の建物属性を基礎データ群から自動抽出して前記建物データへ関連付けを行い建物モデルの雛形を作成する雛形モデル作成ステップと、
前記雛形モデル作成ステップで作成された建物モデルの雛形に前記基礎データ群をそれぞれ参照して階別構造、構・工法、部材の分割・統合、工区等の建物属性の詳細を変更自在に設定して建物モデルを確定する建物モデル確定ステップと、
前記建物モデル確定ステップで確定された建物モデルに基づいて、階工区別施工数量を算出する施工数量算出ステップと、
前記建物モデル確定ステップで確定された建物モデルに基づいて、構・工法属性、工区属性、部材属性の全てが共通する階工区のタクト工程に必要な作業、順序及び作業別歩掛等を作成する基本タクト工程作成ステップと、
前記基本タクト工程ステップで作成された基本タクト工程に、前記施工数量算出ステップで算出された階工区別施工数量を割当て、作業日数を算出した階工区別タクト工程と、前記モデル確定ステップで確定された建物モデルの構・工法属性に基づく階工区別の施工順序から全体工程表とを作成する工程表作成ステップとから成ることを特徴とする、工程表作成支援方法。
【請求項２】
建物モデル確定ステップは、建物全体の構造形式に基づき、柱、大梁、小梁の部位における階別の構造属性を基礎データ群から参照して確定するステップと、
柱、外壁、戸境壁、大梁、床、バルコニー等の主要部位における部位別の構・工法の属性を基礎データ群から参照して確定するステップと、
前記確定された階別の構造属性と部位別の構・工法属性に基づいて、部材の分割・統合を行うことにより部材属性を確定するステップと、
工区の範囲及び工区名を指定することにより、工区属性を確定するステップとから成ることを特徴とする、請求項１に記載した工程表作成支援方法。
【請求項３】
基本タクト工程作成ステップは、モデル確定ステップで確定した建物モデルに基づき、階工区別の構・工法と部材属性が異なる階工区の数を算出することにより基本タクト工程の数を確定するステップと、
基礎データ群に記録格納されている、先行工程や後行工程等の工程順序が同じ工程をグループ化した工程グループ別順序関係データと、部位別の構・工法および部材属性と工程の成立関係を示した構・工法・部材属性−工程データとを参照して、工程の要否の判定と構・工法に適合した作業項目名を自動付与することにより基本タクト工程を作成するステップと、
作成された前記基本タクト工程に含まれる作業項目に基づき、前記基礎データ群から作業別施工歩掛データと投入資源量データを抽出して基本タクト工程の施工歩掛と投入資源量を作成するステップとから成ることを特徴とする、請求項１に記載した工程表作成支援方法。
【請求項４】
前記工程表作成ステップは、階工区別タクト工程と基礎データ群とを参照して工区別順序関係を確定することにより全体工程を作成するステップを含むことを特徴とする、請求項１に記載した工程表作成支援方法。
【発明の詳細な説明】
【０００１】
【発明の属する技術分野】
本発明は、建物の属性データや歩掛等の工程作成データ等の基礎データ群を自在に活用するコンピュータにより、３次元ＣＡＤデータから成る建物データに建物属性を関連付けて作成した建物モデルから実態に即した詳細な工程表の作成を支援する方法の技術分野に属する。
【０００２】
【従来の技術】
従来から、建築工事の工程計画は、過去の類似物件や実績データに基づき、各担当者が個々に作成している。しかし、標準となる工程表の表現方法が少ないだけでなく、計画に当たって必要な施工歩掛、工事機械や労務の投入量等のデータは各担当者が過去に経験し計画したプロジェクトを参照しているのが一般的である。そのため、同一の建物であっても、作成する担当者によって工期、工程内容及びその表現方法が異なる場合が少なくない。そのため、工事概要に基づいて工程表を作成する技術が幾つか開示されている。例えば、
【０００３】
特許文献１の発明に係る「建築基本工程計画支援装置」は、地盤の形状図および建物の形状等の簡単な建築情報を入力するだけで、先ず杭・基礎工法及び山留工法が決定される。工法が決定されれば工程計算用データが容易に求められ、それから工程が展開されて工期の算出および工程表が作成できる。
【０００４】
また、部材の属性から工程を作成する方法も開示されている。例えば、
特許文献２の発明に係る「工程計画管理支援方法」は、３次元ＣＡＤ建物データが持つ形状、名称及び種別等の部材の属性に基づき据付手順を作成し、それぞれの情報を関連付けて工程表を作成する。要するに、建物の部材の属性から工程表を作成することができる方法である。
【０００５】
【特許文献１】
特開平８−１６６９８３号公報
【特許文献２】
特開２００２−１１７１００号公報
【０００６】
【本発明が解決しようとする課題】
しかしながら、上記の従来技術には幾つかの問題点がある。
特許文献１の発明は、入力として地盤の形状図および建物の形状という簡単な建築情報で工程表を作成することができる。しかし、作成された工程表は大まかな（一般的）構・工法に基づいた工程の表現となる。また、実際の建築工事においては、各階の構法および工法（以下、構・工法と云う。）が異なる場合や、同じ階でも構・工法が異なる場合があるため、実態に即した正確な工程表を作成することはできない。
【０００７】
また、特許文献２に記載した発明は、３次元ＣＡＤデータが持つ形状、名称及び種別等の部材の属性情報から設備工事の据付工程を作成するもので、部材の属性によりその構・工法を限定できる特殊工事においては非常に有効である。
【０００８】
しかし、一般的な建築工事では、同じ部材でも状況に応じてユニット化（統合）して構築したり、異なる施工方法（工法）を採用すると、その違いにより必要となる作業や手順が異なるため、部材属性により工程を決定することはできない。
【０００９】
本発明は、上記の問題点を解決し、３次元建物データへ建物属性を追加した建物モデルから、実態に即した詳細な全体工程表を簡易に作成できる工程表作成支援方法を提供することにある。
【００１０】
本発明の次の目的は、施工計画の変更による追加・修正が生じても、前記追加・修正から生じる関連付けを自動的に行い実態に即した工程表を速やかに修正できる工程表作成支援方法を提供することにある。
【００１１】
【課題を解決するための手段】
上記課題を解決するための手段として、請求項１に記載した発明に係る工程表作成支援方法は、
工程作成用の建物モデルを作成する基礎となる建物属性と、工程表作成の基礎となる作業項目、施工歩掛等とから成る基礎データ群を有するコンピュータを使用して、３次元ＣＡＤデータから成る建物データに少なくとも階別構造、構・工法、部材の分割・統合、工区等の建物属性を追加して工程作成用の建物モデルを作成し、前記建物モデルの建物属性に合致した工区別の作業項目、施工数量、施工歩掛や順序関係を基礎データ群から自在に抽出し、工程表を自動作成する工程表作成支援方法であって、
３次元ＣＡＤデータから成る建物データと、当該建物データが付随して持っている共通事項データとを読込み、記憶する読込・記憶ステップと、
前記読込・記憶ステップで読込み、記憶された前記共通事項データから確定できる階別構造、構・工法、部材の分割・統合、工区等の建物属性を基礎データ群から自動抽出して前記建物データへ関連付けを行い建物モデルの雛形を作成する雛形モデル作成ステップと、
前記雛形モデル作成ステップで作成された建物モデルの雛形に前記基礎データ群をそれぞれ参照して階別構造、構・工法、部材の分割・統合、工区等の建物属性の詳細を変更自在に設定して建物モデルを確定する建物モデル確定ステップと、
前記建物モデル確定ステップで確定された建物モデルに基づいて、階工区別施工数量を算出する施工数量算出ステップと、
前記建物モデル確定ステップで確定された建物モデルに基づいて、構・工法属性、工区属性、部材属性の全てが共通する階工区のタクト工程に必要な作業、順序及び作業別歩掛等を作成する基本タクト工程作成ステップと、
前記基本タクト工程ステップで作成された基本タクト工程に、前記施工数量算出ステップで算出された階工区別施工数量を割当て、作業日数を算出する階工区別タクト工程と、前記モデル確定ステップで確定された建物モデルの構・工法属性に基づく階工区別の施工順序から全体工程表とを作成する工程表作成ステップとから成ることを特徴とする。
【００１２】
請求項２記載の発明は、請求項１に記載した工程表作成支援方法において、
建物モデル確定ステップは、建物全体の構造形式に基づき、柱、大梁、小梁の部位における階別の構造属性を基礎データ群から参照して確定するステップと、
柱、外壁、戸境壁、大梁、床、バルコニー等の主要部位における部位別の構・工法の属性を基礎データ群から参照して確定するステップと、
前記確定された階別の構造属性と部位別の構・工法属性に基づいて、部材の分割・統合を行うことにより部材属性を確定するステップと、
工区の範囲及び工区名を指定することにより、工区属性を確定するステップとから成ることを特徴とする。
【００１３】
請求項３記載の発明は、請求項１に記載した工程表作成支援方法において、
基本タクト工程作成ステップは、モデル確定ステップで確定した建物モデルに基づき、階工区別の構・工法と部材属性が異なる階工区の数を算出することにより基本タクト工程の数を確定するステップと、
基礎データ群に記録格納されている、先行工程や後行工程等の工程順序が同じ工程をグループ化した工程グループ別順序関係データと、部位別の構・工法および部材属性と工程の成立関係を示した構・工法・部材属性−工程データとを参照して、工程の要否の判定と構・工法に適合した作業項目名を自動付与することにより基本タクト工程を作成するステップと、
作成された前記基本タクト工程に含まれる作業項目に基づき、前記基礎データ群から作業別施工歩掛データと投入資源量データを抽出して基本タクト工程の施工歩掛と投入資源量を作成するステップとから成ることを特徴とする。
【００１４】
請求項４記載の発明は、請求項１に記載した工程表作成支援方法において、
前記工程表作成ステップは、階工区別タクト工程と基礎データ群とを参照して工区別順序関係を確定することにより全体工程を作成するステップを含むことを特徴とする。
【００１５】
【発明の実施形態及び実施例】
以下、図面を参照して、請求項１、２に記載した発明に係る工程表作成支援方法の実施形態を説明する。
【００１６】
図１は、本発明に係る「工程表作成支援方法」が実施されるコンピュータシステム１（以下、単にコンピュータと云う）の一構成例を示す図である。
【００１７】
このコンピュータ１は、主にＣＰＵから成る中央演算処理装置２と、キーボード３ａやマウス３ｂ等から成る入力装置３と、出力表示手段であるモニタ４ａやプリンタ４ｂ等から成る出力装置４と、ハードディスクや磁気ディスク等の書き込み可能な記憶媒体および駆動ディバイスから成る記憶装置５とで構成されている。したがって、コンピュータは、カスタムメイドのコンピュータのみならず、一般的なパーソナルコンピュータや汎用コンピュータが好適に用いられる。なお、前記コンピュータの中央演算処理装置２は、例えばマイクロソフト社のウインドウズ（登録商標）２０００およびｍｅ等のオペレーティングシステム（ＯＳ）が好適に使用される。
【００１８】
前記中央演算処理装置２は、構造、構・工法、部材分割・統合、工区等の建物属性を３次元ＣＡＤデータから成る建物データ５１１に追加して工程作成用の建物モデル５１２を作成させる３次元データ処理部と、階工区別施工数量、基本タクト工程、階工区別タクト工程、階工区別順序関係、全体工程等の工程データを処理する工程データ処理部と、記憶装置５に格納されている各データ等を処理する工程組合データ処理部を有している。
【００１９】
前記記憶装置５は、３次元データ記憶装置５１と、工程データ記憶装置５２と、前記ＯＳおよび本発明に係る工程表作成支援方法を実施するためのプログラム等のアプリケーションを格納しているだけでなく、種々の基礎データを項目別に配備した基礎データ群を格納する基礎データ記憶装置５３とから構成されている。
【００２０】
前記３次元データ記憶装置５１は、３次元ＣＡＤデータで成る建物データ５１１及び当該建物データ５１１へ構造属性、構・工法属性，部材分割・統合属性と工区属性を関連付けして作成された工程作成用の建物モデル５１２を記録格納する。また、前記建物モデル５１２を作成する際に追加設定（関連付け）される各建物属性を構造属性ＤＢ５１３、構・工法属性ＤＢ５１４、部材分割・統合属性ＤＢ５１５、工区属性ＤＢ５１６として格納するデータベース領域も有している。
【００２１】
前記工程データ記憶装置５２は、算出及び作成される前記工程データを工区施工数量データ５２１、基本タクト工程データ５２２、階工区別工程データ５２３、階工区別順序関係データ５２４、全体工程データ５２５等として記録格納するデータ領域を有している。
【００２２】
前記基礎データ記憶装置５３は、建物モデル５１２を作成する際に基礎となる建物属性のデータを記録格納しているモデル作成基礎データ記群５３１と、工程表を作成するために基礎となる作業項目、施工歩掛等のデータを記録格納している工程作成基礎データ群５３２とから構成されている。
【００２３】
前記モデル作成基礎データ群５３１は、構造属性データ５３１ａ、構・工法属性データ５３１ｂ、部材属性データ５３１ｃ、工区属性データ５３１ｄ等の建物属性データを格納しており、各データは各建物属性のデータ同士を関連付け可能にコード化されている。
【００２４】
前記構造属性データ５３１ａは、建築に使用される柱、（大小）梁等における、例えば、ＰＣ（プレキャスト）構造、ＲＣ（鉄筋コンクリート）構造等の「構造形式データ」を格納している。
【００２５】
前記構・工法属性データ５３１ｂは、「概略構法データ」、「鉄筋構法データ」、「型枠構法データ」、「鉄筋建方データ」、「節割データ」、「鉄筋継手データ」、「主筋継手データ」、「コンクリート打設データ」等あらゆる構・工法データを格納している。
【００２６】
前記部材属性データ５３１ｃは、「自動設定部位属性データ」、「追加設定部位属性データ」等の建築で使用される単独又は統合（ユニット化）された部材の種類名等の部材データを格納している。
【００２７】
前記工区属性データ５３１ｄは、「工区名リストデータ」等を記録している。
【００２８】
工程データ作成基礎データ群５３２は、工程グループ順序関係データ５３２ａ、構・工法・部材属性−工程データ５３２ｂ、作業別歩掛データ５３２ｃ、作業別投入資源量データ５３２ｄ、階工区別工程順序関係データ５３２ｅ、施工数量算出データ５３２ｆ等の基礎データとで構成されている。
【００２９】
前記工程グループ順序関係データ５３２ａは、作業名の構・工法や部材属性により異なるが実施する順番（先行工程や後続工程）が同じと考えられる工程をグループ化した「工程グループ順序関係データ」を格納している。柱においては言えば、「柱鉄筋継手」工程グループには、「柱圧設」、「柱ねじ継手」、「柱主筋（重ね継手）」、「柱スリーブ」等々の工程をなどである。
前記構・工法・部材属性−工程５３２ｂは、「柱構・工法−工程組合せデータ」、「外壁構・工法−工程・組合せデータ」、「戸境壁構・工法−工程組合せデータ」、「大梁構・工法−工程組合せデータ」、「床構・工法−工程組合せデータ」、「バルコニー構・工法−工程組合せデータ」、「共通構・工法−工程組合せデータ」等の構・工法と工程データの組合せデータを格納している。
【００３０】
前記作業別施工歩掛データ５３２ｃは、「施工数量概略データ」等の作業の施工歩掛データを格納している。
【００３１】
前記作業別投入資源量データ５３２ｄは、作業の種類別に労務や機械等の「投入資源量データ」を格納している。
【００３２】
階工区別順序関係データ５３２ｅは、階別の工区別タクトの順序関係を決定するための「工区別工程順序関係データ」を格納している。
施工数量算出データ５３２ｆは、「鉄筋歩掛データ」、「継手歩掛データ」、「施工数量区分データ」等各データを格納している。
【００３３】
図２には、図１に示したコンピュータ１を用いて実施される、本発明に係る工程表作成支援方法の流れ図の一例を示した。以下、図２の流れ図に沿って処理内容を説明する。
【００３４】
上記したコンピュータ１が始動（開始）すると、ステップＡにおいて、先ず、工程計画者が、入力装置３を介して前記コンピュータの中央演算処理装置２に対して、図３のダイアログボックス３００に表示されている該当する３次元ＣＡＤ（Ｃｏｍｐｕｔｅｒ  Ａｉｄｅｄ  ｄｅｓｉｇｎ）データで成る建物データを選択しマウス３ｂにより読込ボタン３０１をクリックすると前記建物データが自動的に読込まれる。
【００３５】
前記建物データとは、ＣＡＤの平面図形の処理機能を製図用途に応用し作成した建築工事にかかる建物の設計図データであり、部材毎の位置、寸法（縦、横、長さ、鉄骨断面）および主要部位（柱、外壁、戸境壁、大梁、小梁、バルコニー）の各データを有している。
【００３６】
更に、前記建物データ５１１が読込まれると、建物データが付随して持っている共通事項データも自動的に読み込まれ図４のダイアログボックス４００を表示させる。
【００３７】
ステップＢでは、読み込まれた前記共通事項データの設定項目から推測できる階別構造、構・工法、部材、工区等の建物属性を前記基礎データ記憶装置５３のモデル作成基礎データ群５３１から自動抽出して建物データへ関連付けを行い建物モデル５１２の雛形を作成するステップである。
【００３８】
前記ダイアログボックス４００には、予め工事コード、工事名、施主名、建築地、用途、構造形式、地下階数、地上階数、塔屋階数等の共通事項データが各設定項目４０１…へ入力されたかたちで表示されている。そこで、工程計画者が入力装置３のマウス３ｂを操作して、決定ボタン４０３をクリックすると共通事項データが確定され、前記共通事項データから確定できる階別構造、構・工法、部材、工区等の各属性を基礎データ群５３のモデル作成基礎データ群５３１から中央演算処理装置２によって自動抽出されて工程表作成用の建物モデル５１２の雛形が自動的に作成され、前記建物モデル５１２が３次元データ記憶装置５１へ格納される。
【００３９】
また、このとき前記モデル作成基礎データ群５３１から自動抽出された各建物属性が構造属性ＤＢ５１３、構・工法属性ＤＢ５１４、部材分割・統合属性ＤＢ５１５、工区属性ＤＢ５１６として作成され３次元データ記憶装置５１へ変更自在に記録格納される。そして、次のステップＣへ進む。
【００４０】
なお、前記共通事項データを変更する際には、工程計画者が入力装置３のキーボード３ａにより各入力欄４０１へ変更事項を入力する。前記構造形式は、プルダウンメニュー４０２にモデル作成基礎データ群５３１の構造属性データ５３１ａに格納されている「構造形式データ」が参照されており、工程計画者が入力装置３のマウス３ｂによって選定することによって全体の構造形式が設定される。また、ステップＢの建物モデル５１２の雛形により、建物モデル５１２の各構造形式は全てディフォルト値により初期値設定される。
【００４１】
ステップＣは、前記自動作成された建物モデル５１２の雛形に前記基礎データ装置５３をそれぞれ参照して階別構造、構・工法、部材、工区等の建物属性の詳細を変更自在に設定して、建物モデル５１２を確定するステップである。
【００４２】
ステップＣ−１において柱、大梁、小梁の階別の構造属性を詳細に設定する。先ず、工程計画者は入力装置３を操作して図５のダイアログボックス５００を表示させる。基本的にはステップＢで設定した構造形式が初期値として構造入力欄５０１へ表示されている。階により構造が異なる場合には、モデル作成基礎データ群５３１の構造属性データ５３１ａに格納された「構造形式データ」を参照して、異なる階の柱、大梁、小梁等の各構造形式を構造入力欄５０１へ入力装置３のキーボード３ａにより入力して修正する。柱、大梁、小梁以外の部位はＲＣ（鉄筋コンクリート）造として設定される。そして、決定ボタン５０２をマウス３ｂによりクリックすると、前記中央演算処理装置２が前記建物モデル５１２の構造属性を確定させ、その内容を３次元データ記憶装置５１の構造属性ＤＢ５１３へ更新させる。また、前記追加変更から構・工法及び部材等の属性が推測されて、構・工法属性ＤＢ５１４及び部材分割・統合属性ＤＢ５１５、工区属性ＤＢ５１６の各データを自動変更させる。
【００４３】
ステップＣ−２では、柱、外壁、戸境壁、大梁、床、バルコニー等の主要部位の構・工法の属性の詳細を変更自在に設定する。
先ず、工程計画者が入力装置３を操作して、図６のダイアログボックス６００を表示させる。基本的にはステップＡ及びＢで設定又は自動変更された値が初期値として表示されている。前記表示された構・工法に変更がない場合は次のステップへ進む。設定事項に変更がある場合には、前記ダイアログボックス６００上の実線で囲んだ部位別構・工法ボックス６０１内で、柱、外壁、戸境壁、大梁、床、バルコニー、小梁の各主要部位別に構法６０２、鉄筋６０３、型枠６０４の各構・工法を、基礎データ記憶装置５３のモデル作成基礎データ群５３１に格納されている構・工法属性データ５３１ｂの各データを参照して設定変更を行う。
【００４４】
具体的に、構法６０２は、前記主要部位別に縦列で設けられた各構法プルダウンメニュー６０２ａ…から該当する概略構法を入力装置３のマウス３ｂによって選定して決定される。前記構法プルダウンメニュー６０２ａには、構・工法属性データ５３１ｂの「概略構法データ」が参照されている。鉄筋６０３は前記主要部位別に縦列で設けられた各鉄筋プルダウンメニュー６０３ａ…から該当する鉄筋構法を入力装置３のマウス３ｂによって選定して決定される。前記鉄筋プルダウンメニュー６０３ａには構・工法属性データ５３１ｂの「鉄筋工法データ」が参照されている。型枠６０４は前記主要部位別に縦列で設けられた各型枠プルダウンメニュー６０４ａ…から該当する型枠工法を入力装置３のマウス３ｂによって選定して決定される。前記型枠プルダウンメニュー６０４ａには構・工法属性データ５３１ｂの「型枠工法データ」が参照されている。
【００４５】
また、複数の部位に共通と考えられる、鉄骨建方６０５、鉄骨節割６０６、鉄骨ジョイント６０７、コンクリート打設６０８、主筋接合６０９についても上述したのと同様の手順で設定される。つまり鉄筋建方６０５は、構・工法属性５３１ｂの「鉄骨建方データ」が参照されている鉄骨建方プルダウンメニュー６０５ａから入力装置３のマウス３ｂにより実態に沿った設定変更を行う。
【００４６】
鉄骨節割６０６は、構・工法属性５３１ｂの「鉄骨節割データ」が参照されている節割プルダウンメニュー６０６ａから入力装置３のマウス３ｂにより実態に沿った設定変更を行う。前記鉄骨ジョイント６０７は、構・工法属性５３１ｂの「鉄骨継手工法データ」が参照されている継手プルダウンメニュー６０７ａから入力装置３のマウス３ｂにより実態に沿った設定変更を行う。コンクリート打設６０８は、構・工法属性データ５３１ｂの「コンクリート打設工法データ」が参照されている打設プルダウンメニュー６０８ａから入力装置３のマウス３ｂにより実態に沿った設定変更を行う。前記鉄筋主筋継手６０９は、構・工法属性データ５３１ｂの「鉄筋主筋継手データ」が参照されている鉄筋主筋プルダウンメニュー６０９ａから入力装置３のマウス３ｂにより実態に沿った設定変更を行う。
【００４７】
なお、ステップＢの構造設定においてＳ又はＳＲＣ造が選択されていない場合は、複数の部位に共通と考えられる６０５〜６０７の設定は不要となるので設定事項には表示されない。
【００４８】
そして、構・工法決定ボタン６１０を入力装置３のマウスｂでクリックすると、図７のダイアログボックス７００に示す各階別−部位別の構・工法が中央演算処理装置２により自動的に設定され、前記建物データへ全体の構・工法及び階別−部位別構・工法属性が関連付けられ（付加され）る。図示例では柱における、階別工法が表示されている。勿論、階により各構・工法が異なる場合もあるため、このダイアログボックス７００の各入力欄７０１…へ適切な構・工法を構・工法属性データ５３１ｂの各構・工法のデータを参照して入力装置３により追加変更することができる。
【００４９】
斯くすると、前記中央演算処理装置２が前記建物モデル５１２の構・工法属性を関連付け、その内容を３次元データ記憶装置５１の構・工法属性ＤＢ５１４へ反映（更新）させる。また、前記追加変更から推測される通り芯、階レベルの基本的な部材分割、工区の属性が算出されて、部材分割・統合属性ＤＢ５１５及び工区属性ＤＢ５１６が自動変更される。
【００５０】
ステップＣ−３では、工程計画者が、部材の分割および統合を行い部材の属性を確定するステップであるが、上述したように、ステップＣ−２によりある程度の基本的な部材の分割は自動的にされている。更に部材の分割或いは修正する場合は、図８のダイアログボックス８００に示すように、部材の通り芯Ｘ１〜Ｘｎ、Ｙ１〜Ｙｎを基準に、柱、大梁、小梁等の各部材に分割したい箇所、即ちＸ軸方向に設けられる分割線Ｌｘ…、Ｙ軸方向に設けられるＬｙ…を、入力装置３のマウス３ｂを操作して設け（引き）、分割したい部材の種別をボックス８０１で指定する。上記の手順を各階毎に繰り返して部材分割を行う。その際、分割線の位置が他の階と同じ場合は分割線の位置をコピーすることができる。そして、ボックス８０１内の分割決定ボタン８０２を入力装置３のマウス３ｂでクリックすることにより部材分割の属性が建物データへ関連付けられ、その内容が部材分割・統合属性ＤＢ５１５へ反映（更新）される。
【００５１】
また、部材の統合（ユニット化）は、先ず、工程計画者が入力装置３を操作して、図９のダイアログボックス９００を表示させる。前記部材分割の設定により自動設定された部材分割が表示されているが、指定した部材を構・工法や施工期間に応じて個々に統合することができる。
【００５２】
前記部材の統合（ユニット化）とは、建物を構成する各部材を予め工場などで複数組み合わせ、一つの部材として例えばタワークレーンなどで所定の箇所まで搬送して組み建て可能な構成に設定することである。
【００５３】
部材分割の手順として先ず、上述した部材の分割処理で柱、大梁、小梁などの各部材に分割された当該部材に対して、前記各部材を複数組み合わせて部材の統合を行う。例えば、柱イ、ロと大梁ハの各部材で構成される統合部材９を設定する場合、前記柱イ、ロと大梁ハをマウス３ｂで一連に指定して、ユニット化指定ボタン９０１をマウス３ｂでクリックし、部材のユニット化、マーク部材のユニット化（図示省略）を順次選択すると、部材属性データ５３１ｃの部材データが参照されている部材種別ボックス９０２が表示され、当該ボックス９０２から統合（ユニット化）した部材種別名をマウス３ｂにより選定し、決定ボタン９０３をクリックすることにより統合される。
【００５４】
前記ボックス９０２に表示される部位種別名は部材属性データ５３１ｃの「自動設定される部位属性データ」（柱、大梁、小梁、床、バルコニー、戸境壁や外壁等の主要部位）だけでなく、部材属性データ５３１ｃの「追加設定できる部位属性データ」の例えば柱と大梁と外壁の各部材から構成される「外装ユニット」や、柱と大梁と外壁と小梁と床から構成される「ベイユニット」や、大梁と小梁と床とから構成される「大梁付きフロアーパネル」など、およそ２７種類から選定することができる。
【００５５】
なお、柱と柱の統合に関しては、図６の構・工法属性の鉄骨節割６０６の設定値に基づいて中央演算処理装置２により自動的に部材の統合が行なわれる。
【００５６】
そして、部材種別ボックス９０２内の決定ボタン９０３を入力装置３のマウス３ｂでクリックすると部材の統合が行われ部材の属性が建物データへ関連付けられると共に、その内容が部材分割・統合属性ＤＢ５１５へ反映（更新）される。
【００５７】
ステップＣ−４では、工区の範囲及び工区名を指定して工区属性の確定を行う。先ず、工程計画者が入力装置３を操作して、図１０のダイアログボックス１０００を表示させる。続いて、入力装置３のマウス３ｂを操作（ドラッグ）して、当該ダイアログボックス１０００の平面図を一筆書きに多角形で工区の範囲を設定し、工区名ボックス１００１で前記指定された工区の名称を選定する。上記の手順を各階毎に繰り返して工区分割を設定する。前記ボックス１００１には工区属性データ５３１ｄの「工区名リストデータ」が参照されている。その際、工区分割線の位置が他の階と同じ場合はコピーすることができる。
【００５８】
そして、工区名ボックス１００１内の工区決定ボタン１００２を入力装置３のマウス３ｂでクリックすることにより工区属性が建物データ５１１へ関連付けられ、その内容が工区属性ＤＢ５１６へ更新される。
【００５９】
以上に説明したように、ステップＣにより工程表作成用の建物モデルが確定され、３次元データ記憶装置５１の建物モデル５１２へ記録格納される。
【００６０】
続くステップＤでは、確定された建物モデル５１２に基づいた階工区別施工数量を階工区及び項目別に中央演算処理装置２によって自動算出する。
【００６１】
具体的には、建物モデル５１２に追加されている構造属性ＤＢ５１３、構・工法属性ＤＢ５１４、部材分割・統合属性ＤＢ５１５、工区属性ＤＢ５１６と工程作成基礎データ群５３２の施工数量算出データ５３２ｆの「施工数量区分データ」を参照して、建物の基本資材である、コンクリート量、型枠面積、部材ピ−ス数、鉄骨重量、鉄骨溶接長、鉄筋重量、鉄骨継手箇所数等が算出される。
【００６２】
前記基本資材のうち鉄筋量及び鉄筋継手箇所数は建物データに登録されていないので前記施工数量算出データ５３２ｆの「鉄筋歩掛データ」（コンクリート１ｍ３当たりの鉄筋数）、「継手歩掛データ」（部材の分割面当たりの上端及び下端の本数）に基づいて算出される。また、採用する構・工法により施工数量が変化することを考慮し、基本資材と構・工法に対応した施工数量との関係を示す施工数量算出データ５３２ｆの「施工数量算出データ」も参照してより実態に即した算出を行うものとする。
【００６３】
上記のように算出された階工区別施工数量は、図１１に示すダイアログボックス１０１０のように出力装置４のモニタ４ａへ出力表示され、工程データ記憶装置のデータ領域へ「工区別施工数量データ５２１」として記録格納される。
【００６４】
次にステップＥで工程作成基本モデルに基づいた基本タクトの工程を作成する。先ず、当該ステップＥで作成される基本タクト工程の表現方式について説明する。
【００６５】
建築工事のタクト工程では階工区の施工数量が異なっていても、採用する構・工法およびその工区に含まれる部材の属性が全く同じ場合が多く、その場合はタクト工程（必要となる作業とその作業名や手順）も同じになる。そこで、採用する構・工法および工区に含まれる部材の属性が全く同じであり、階工区に共通で使用できるタクト工程を「基本タクト工程」として作成し、修正時の利便性を考慮している。基本タクト工程の作成方法の概要として、図１２に示すような部位別に全ての構・工法及び部材属性に対応できる工程手順を設定しておき、構・工法および部材属性データに基づき各作業の要否を自動的に判断し、作業の変更が必要である場合には構・工法および部材属性に対応した作業名に置換し、必要でない場合には作業を削除して、それ以降の作業を順次前に詰める。また、構・工法により前後の順序関係が反対になる可能性があるものに対しては同じ作業名を前後に配置し、どちらか一つが選択される表現方式を採用している。
【００６６】
しかし、現実的な工程の表現方法としては部位別に表現される工程表は少なく、工種別（例えば、鉄骨、鉄筋、型枠、コンクリート等）に表現されるのが一般的であるため、図１２に示す部位別工程表から図１３に示す工程別工程表の表現へ変更する必要がある。つまり、基本タクト工程は図１３に示したように鉄骨タクトＭと躯体タクトＮの二種類にグループ化した表示方式にする。前記鉄骨タクトＭと躯体タクトＮとはそれぞれ作成方法が異なる。
【００６７】
先ず、鉄骨タクトＭを作成する手順を説明する。前記ステップＣで設定された節ごとの記載表現になるために、各節に対応する階の行数を考慮して、例えば、鉄骨建方作業は、その行数の最下行から最上行にかけて工程線を書き、それ以外の鉄骨継手作業は最上行に表示する。図１３では、２層１節による鉄骨建方構法を採用しているので、当該節に対応する階の行数が２階分合わせて６行となる。よって、鉄骨建方作業はＮ階の１行目からＮ＋１階の３行目にかけて表現する。
【００６８】
次に、前記躯体タクトＮにおいては、１行目を各部位に共通する墨出とコンクリート工事、２行目を鉄筋工事および３行目を型枠工事として固定した表現方式とした。このように上記の図１３に示した現実的な工程の表現方式で作成された基本タクト工程の雛形が工程作成基礎データ群５３２の「工程グループ順序関係データ５３２ａ」として格納されている。
【００６９】
また、前記基本タクト工程の「工程グループ順序関係データ５３２ａ」の工程の表現方式はステップＣ−２で設定した主要部材（柱、大梁、床、バルコニー、戸境壁、外壁、共通の７種類）と各工程の組合せを基準とした工程表示となっている。しかし、実際にはステップＣ−３で行った部材統合設定で追加した全３４種類（追加設定した部位２７種類＋主要部位７種類）の部位種別と各工程とに対応する必要がある。
【００７０】
柱には、柱＋柱（ブラケット有−無）、柱＋大梁（縦・横連層）、柱＋大梁＋外壁（外装ユニット）、柱＋大梁＋外装＋小梁＋床（ベイユニット）、柱＋柱（先行）、柱＋柱（後行）、外装ユニット（先行）、外装ユニット（後行）、ベイユニット（先行）、ベイユニット（後行）、柱（先行）、柱（後行）、また、大梁には、大梁＋小梁＋床（大梁付フロアパネル）、大梁（先行）、大梁（後行）、大梁付フロアパネル（先行）、大梁付フロアパネル（後行）、更に床には、小梁＋床（大梁無フロアパネル）、大梁無フロアパネル（先行）、大梁無フロアパネル（後行）、小梁（先行）、小梁（後行）を追加する必要がある。したがって、各部位別の構・工法・部材種別の違いを考慮した工程の組合せは「柱構・工法」１６１９通り、「外壁構・工法」１３通り、「戸境壁構・工法」９通り、「大梁構・工法」５４８通り、「床構・工法」１３通り、「バルコニー構・工法」１１通り、「共通構・工法」３通りがあり、全ての部位を組み合わせると１２７億通り以上の基本タクト工程が作成可能となる。そのため、各構・工法の工程組合せデータ（通り）を工程作成基礎データ群５３２の構・工法・部材属性−工程データ５３２ｂに各構工法別に参照可能に格納している。したがって、建築時のあらゆる構・工法および部材の違いに対応した工程表の作成に寄与する。
【００７１】
次に、ステップＣ−３で行った部材統合設定に確実に対応した基本タクト工程を作成する手順を説明する。
【００７２】
基本タクト工程表の作成は、基本タクト工程の工程部分と、それに対応する作業、作業順序、施工歩掛を含む施工歩掛部分がそれぞれ別々に作成され、図１６に示すように一体的に表示される。先ず、基本タクト工程の工程部分の作成を図１４に示すフローチャートに基づいて具体的に説明する。
【００７３】
ステップＥ−１０では、中央演算処理装置２が全ての部位の構・工法と部材種類が全く同じ階工区があるかのチェックを行う。つまり、建物モデル５１２に基づいて階工区別の部材属性が異なる階工区数を算出し基本タクト工程の数を確定する。
【００７４】
ステップＥ−１１で、全ての構・工法および部材が全く同じ階工区がない場合（ＮＯ）は、次のステップＥ−１２へ進み基本タクト工程の追加が決定される。ある場合（ＹＥＳ）は、ステップＥ−３０へ進み全ての階工区についても同様のチェックを行う。
【００７５】
ステップＥ−１３で中央演算処理装置２は、先ず、柱の構・工法および部材の属性において、工程作成基礎データ群５３２の構・工法・部材属性−工程データ５３２ｂに記録格納されている「柱構・工法」の工程組合せデータ（１６１９通り）と、工程作成用の建物モデル５１２の構・工法属性ＤＢ５１４を照合して、構・工法および部材属性データが異なる階工区の数をチェックし、基本タクト工程の数を決定する。
【００７６】
そして、ステップでＥ−１４で、各々の基本タクト工程において、工程作成基礎データ群５３２の工程グループ順序関係データ５３２ａと前記「柱構・工法」の工程組合せデータに基づいて、柱に関係する工程の要否を判断し、不要な工程グループを自動的に削除し、必要な工程グループは適切な作業項目名を自動付与する。修正された基本タクト工程の結果は図１５に示すように、鉄骨タクトＭおよび躯体タクトＮにグループ化された表現方式で基本タクトの柱に関係する工程が確定される。後述する各主要部位に関係する工程の確定結果も図１５と同様の表現方式であるため、以下、図面を省略する。
【００７７】
ステップＥ−１５で中央演算処理装置２は外壁構・工法の種類において、工程作成基礎データ群５３２の構・工法・部材属性−工程データ５３２ｂに記憶格納されている「外壁構・工法」の工程組合せデータ（１３通り）と、工程作成用の建物モデル５１２の構・工法属性ＤＢ５１４とを照合する。そしてステップＥ−１６で工程の要否を判断し、不要な工程グループを自動的に削除し、必要な工程グループは適切な作業項目名を自動付与する。
【００７８】
ステップＥ−１７で中央演算処理装置２は戸境壁構・工法の種類において、工程作成基礎データ群５３２の構・工法・部材属性−工程データ５３２ｂに記憶格納されている「戸境壁構・工法」の工程組合せデータ（９通り）と工程作成用の建物モデル５１２の構・工法属性ＤＢ５１４を照合する。そして、ステップＥ−１８で、工程の要否を判断し、不要な工程グループを自動的に削除し、必要な工程グループは適切な作業項目名を自動付与する。
【００７９】
ステップＥ−１９で中央演算処理装置２は大梁構工法と部材の種類において、工程作成基礎データ群５３２の構・工法・部材属性−工程データ５３２ｂに記憶格納されている「大梁構・工法」の工程組合せデータ（５４８通り）と、工程作成用の建物モデル５１２の構・工法属性ＤＢ５１４を照合する。そして、ステップＥ−２０で、工程の要否を判断をし、不要な工程グループを自動的に削除し、必要な工程グループは適切な作業項目名を自動付与する。
【００８０】
ステップＥ−２１で中央演算処理装置２は小梁構・工法と部材の種類において、工程作成基礎データ群５３２の構・工法・部材属性−工程データ５３２ｂに記憶格納されている「小梁構・工法」の工程組合せデータ（１３通り）と、工程作成用の建物モデル５１２の構・工法属性ＤＢ５１４を照合する。そして、ステップＥ−２２で、工程の要否を判断をし、不要な工程グループを自動的に削除し、必要な工程グループは適切な作業項目名を自動付与する。
【００８１】
ステップＥ−２３で中央演算処理装置２は床構・工法の種類において、工程作成基礎データ群５３２の構・工法・部材属性−工程データ５３２ｂに記憶格納されている「床構・工法」の工程組合せデータ（４６通り）と、工程作成用の建物モデル５１２の構・工法属性ＤＢ５１４を照合する。そして、ステップＥ−２４で、工程の要否を判断をし、不要な工程グループを自動的に削除し、必要な工程グループは適切な作業項目名を自動付与する。
【００８２】
ステップＥ−２５で中央演算処理装置２はバルコニー構・工法の種類において、工程作成基礎データ群５３２の構・工法・部材属性−工程データ５３２ｂに記憶格納されている「バルコニー構・工法」の工程組合せデータ（１１通り）と、工程作成用の建物モデル５１２の構・工法属性ＤＢ５１４を照合する。そしてステップＥ−２６で、工程の要否を判断をし、不要な工程グループを自動的に削除し、必要な工程グループは適切な作業項目名を自動付与する。
【００８３】
ステップＥ−２７で中央演算処理装置２は共通構・工法の種類において、工程作成基礎データ群５３２の構・工法・部材属性−工程データ５３２ｂに記憶格納されている「共通構・工法」の工程組合せデータ（３通り）と、工程作成用の建物モデル５１２の構・工法属性ＤＢ５１４を照合する。そして、ステップＥ−２８で、工程の要否を判断をし、不要な工程グループを自動的に削除し、必要な工程グループは適切な作業項目名を自動付与する。
【００８４】
このように、ステップＥ−１３〜Ｅ−２８で、柱、外壁、戸境壁、大梁、小梁、床、バルコニー、共通のそれぞれの構・工法および部材の種類をチェックし必要な作業のみを抽出し、実態に即した作業順序で適切な作業項目名を自動付与して基本タクト工程の工程部分を作成する。
【００８５】
そして、一連のチェックステップが完了するとステップＥ−２９で新規基本タクト工程として、工程データ記憶装置５２へ格納される。
【００８６】
ステップＥ−３０で、全ての階工区のチェックが完了（ＹＥＳ）であると基本タクト工程の工程部分の作成が完了される。すると、図１６に示すダイアログボックス１６０の工程欄１６１に作成された基本タクト工程別に表示される。
【００８７】
図１５に示された前記基本タクト工程は、工区別に採用する構・工法およびその工区に含まれる部材の属性が異なる数だけ作成される。つまり、すべての階工区で同一な構・工法および同じ部位の属性が選択されている場合には一つの基本タクト工程、全ての階工区に異なる構・工法が選択されている場合には、階工区数分の基本タクト工程が表示される。
【００８８】
次に、基本タクト工程の前記作成された工程部分に対応した施工歩掛部分（歩掛表示欄１６２）を作成する。つまり、中央演算処理装置２が工程作成基礎データ群５３２の作業別施工歩掛データ５３２ｃおよび作業別投入資源量データ５３２ｄを参照して該当する値を抽出して施工歩掛および投入資源量を前記ダイアログボックス１６０上の歩掛表示欄１６２へ表示させることによってなされる。
【００８９】
上記の手順により、工程部分及び施工歩掛部分が作成され実態に即した基本タクト工程が作成される。そして、工程データ記憶装置５２へ基本タクト工程データ５２２として記録格納される。
【００９０】
勿論、編集が必要な場合はこのダイアログボックス１６０上で行うことができる。編集できる項目は工程追加１６３、作業名を表示する関係線追加１６４、作業名変更１６５、作業名移動１６６、始点行移動１６７、終点行移動１６８、工程行移動１６９、歩掛表示欄１６２の施工歩掛及び日別投入量の１０項目である。各ボタンをクリックして編集する。また、施工歩掛部分を編集する場合は、太線で囲った歩掛表示欄１６２の変更値を入力装置３のキーボード３ａを操作して編集する。各編集結果を工程データ記憶装置５２へ格納され、次項の階工区別タクトの表現方法および各作業日の日数算出に反映される。
【００９１】
次に、図２のフローチャートに戻り全体工程作成ステップＦを図面に基づいて説明する。
【００９２】
先ずステップＦ−１で、階工区別タクト工程を作成する。前記階工区別タクト工程とは、上述の階工区別施工数量、基本タクト工程の施工歩掛、および日別投入量に基づき算出される各作業の日数を基本タクト工程の表現方法と同様の形態で表現している各階−工区のタクト工程を指す。
【００９３】
前記ステップＥで作成した基本タクト工程においては、工程の表現方法および施工数量等に影響せずに作業日数が固定されている工程を定義するものである。したがって、階工区別に施工数量、施工歩掛および日別の資源投入量により作業日数が変化する各階工区のタクト工程に関してはその内容を確認・変更する必要がある。それで、中央演算処理装置２は、前記基本タクト工程に、ステップＤで算出された階工区別施工数量５２１を割当て、作業日数を算出することによって階工区別タクト工程を自動作成する。そして、その結果を図１７に示すダイアログボックス１７０に表示させると共に、工程データ記憶装置５２へ「階工区別タクト工程データ５２３」として格納する。
【００９４】
前記ダイアログボックス１７０には、ステップＣで属性設定した階名、工区名、基本タクト工程名等の属性が設定表示欄１７１に表示され、自動作成された階工区別タクト工程が階工区別工程ボックス１７２に表示されている。
【００９５】
また、工区別の施工数量、各作業の施工歩掛、日別投入量が、作業別施工歩掛５３２ｃおよび作業別投入資源量５３２ｄに格納されているデフォルト（初期値）に基づき作業内容一覧ボックス１７３に表示されている。当該ボックス１７３には、ステップＥにおいて施工歩掛表示欄１６２で表示および変更された設定値も連動して表示されている。工程計画者は各設定値を確認し、変更が必要な場合は入力装置３のキーボード３ａにより前記各設定値を変更する。なお、作業日数を変更する場合には、施工数量、施工歩掛、日別投入量をキーボード３ａにより変更する。
【００９６】
ステップＦ−２では、工区別順序関係の確定を行う。後述する全体工程の作成は、各階工区別のタクト工程と工区間の順序関係に基づいて作成されるため、工区間の順序関係をこのステップで設定しておく必要があるからである。
【００９７】
中央演算処理装置２は前記作成された階工区別タクト工程データ５２３、構・工法属性ＤＢ５１４と工程作成基礎データ群５３２の階工区別工程順序関係データ５３２ｅに基づいて工程順序関係表を自動作成する。そして、その結果を図１８のダイアログボックス１８０に表示させると共に、工程データ記憶装置５２へ「階工区順序関係データ５２４」として格納される。
【００９８】
ここには工区別に先行する階工区の階名と工区名、接続関係および接続日数が表示されている。工区間の接続日数は最初の工区の工程日数を工区数で割ったものがデフォルト値として表示されている。接続関係には、接続関係欄１８１に示すように、ＳＳ（スタート−スタート）、ＳＦ（スタート−フィニッシュ）、ＦＳ（フィニッシュ−スタート）、ＦＦ（フィニッシュ−フィニッシュ）の４種類が用意され表示されている。前記接続関係を変更する場合には先行する階工区、接続関係欄１８１へ入力装置３のキーボード３ａ等で適切な設定を入力することによってなされる。勿論、変更された内容は前記「階工区順序関係データ５２４」へ更新される。
【００９９】
そして、ステップＦ−３で全体工程を表示する。現時点で作成された工程は日付データではない実働日数形式である。そこで、工程計画者は、図１９に示したように、入力装置３を操作してダイアログボックス１９０の開始日記入欄１９１へ工程の開始日を指定して、決定ボタン１９２をマウス３ｂでクリックすると、中央演算処理装置２は、工程データ記憶装置５２へ格納された作成済みの階工区別タクト工程データ５２３、階工区別順序関係データ５２４に基づいて相互に関連付けしながら実日数に対応した全体工程表を自動作成させ、その結果を図２０に示すダイアログボックス２００に前記全体工程表を表示させる。そして、前記作成された全体工程表を工程データ記憶装置５２へ「全体工程データ５２５」として格納する。
【０１００】
以上のような各ステップを経て全体工程表を作成させる。最後にステップＧにおいて、変更事項がないか最終確認を行う。前記変更事項がない場合は全ステップが終了される。各建物属性や部材の種類を変更する場合はステップＣへ戻り、工程表に関する工程順序、施工歩掛等を変更する場合にはステップＥへ戻って、各ダイアログボックス上で変更を行う。上述した全てのステップの作業は関連付けしながら行われているため前記変更事項に伴う以降全ての変更の作業が自動的に行われ全体工程表へ直ちに反映される。
【０１０１】
このように、ステップＡ〜Ｇにより実態に即した全体工程表を作成することができるのである。また、工程、部材等の変更が生じても、図示した各ダイアログボックス上で編集するという簡易な方法により、建物データに追加設定された各建物属性に連動され、前記変更に基づいた全体工程が直ちに作成できるため、より正確な工程表が簡易に且つ迅速に作成することが可能となるのである。
【０１０２】
【本発明の奏する効果】
請求項１〜４に記載した発明に係る工程表作成支援方法によれば、３次元建物データへ属性を関連付けて作成した工程作成用の建物モデル５１２から、実態に即した詳細な全体工程表を簡易に作成することが可能である。
【０１０３】
また、施工計画の変更による追加・修正が生じても、前記追加・修正に伴う以降全ての変更の作業が自動的に行われ全体工程表へ直ちに反映することが可能となる。
【図面の簡単な説明】
【図１】本発明に係る工程表作成支援方法を実現するためのシステム全体を示した概略図である。
【図２】本発明に係る工程表作成支援方法を実現するためにコンピュータ上で実行される処理動作の概略を示す流れ図である。
【図３】３次元建物データの読込み画面を示した図である。
【図４】建物概要を入力する画面を示した図である。
【図５】構造属性を追加設定する画面を示した図である。
【図６】工・構法属性を追加設定する画面を示した図である。
【図７】階別構・工法を確認又は追加設定する画面を示した図である。
【図８】部材の分割属性を追加設定する画面を示した図である。
【図９】部材の統合属性を追加設定する画面を示した図である。
【図１０】工区分割の属性を追加設定する画面を示した図である。
【図１１】工区別の部材数量が算出された結果表を示した図である。
【図１２】工程表の表現方式の一例を示した図である。
【図１３】図１３の工程表の表現方式を修正した一例を示した図である。
【図１４】ステップＥの具体的な作業手順を示した流れ図である。
【図１５】作成された基本タクト工程の工程部分の一例を表した図である。
【図１６】基本タクト工程を一例を示した図である。
【図１７】階工区別工程の一例を示した図である。
【図１８】作成された工区別順序関係の一例を示した図である。
【図１９】工程開始日を指定する画面を示した図である。
【図２０】作成された全体工程表の一例を示した図である。
【符号の説明】
１                  コンピュータ
５３                基礎データ群
５１１              建物データ
５１２              建物モデル
【図１】
2005018673.tif 000003
【図２】
2005018673.tif 000004
【図３】
2005018673.tif 000005
【図４】
2005018673.tif 000006
【図５】
2005018673.tif 000007
【図６】
2005018673.tif 000008
【図７】
2005018673.tif 000009
【図８】
2005018673.tif 000010
【図９】
2005018673.tif 000011
【図１０】
2005018673.tif 000012
【図１１】
2005018673.tif 000013
【図１２】
2005018673.tif 000014
【図１３】
2005018673.tif 000015
【図１４】
2005018673.tif 000016
【図１５】
2005018673.tif 000017
【図１６】
2005018673.tif 000018
【図１７】
2005018673.tif 000019
【図１８】
2005018673.tif 000020
【図１９】
2005018673.tif 000021
【図２０】
2005018673.tif 000022